(57)【要約】      （修正有）【課題】無線ＬＡＮ基地局装置等の既設設備のみで新たに専用のサーバ等を必要とせず、しかも、ＩＰネットワーク上で通信を行うことなく、容易に遅延量の測定を可能とする。【解決手段】無線ＬＡＮ端末装置上で生成されたパケットが無線ＬＡＮ基地局装置で受信されるまでの遅延量を測定する測定装置であって、遅延量測定用パケットを生成し、送受信手段を用いて前記無線ＬＡＮ基地局装置に対して送信するパケット生成手段と、前記遅延量測定用パケットに対する前記無線ＬＡＮ基地局装置からのＡｃｋ信号を受信したことを検出するＡｃｋ信号検出手段と、前記パケット生成手段に遅延量測定用パケットの生成を指示し、当該遅延量測定用パケットの生成を指示した時刻から、前記Ａｃｋ信号検出手段において前記Ａｃｋ信号を受信した受信時刻までの時間を測定し、無線区間の遅延量を測定するタイマー手段とを有する。【選択図】図２
2007053653.tif 000002
【特許請求の範囲】
【請求項１】
無線ＬＡＮ基地局装置によって構成される無線ＬＡＮネットワークにおいて、無線ＬＡＮ端末装置上で生成されたパケットが無線ＬＡＮ基地局装置で受信されるまでの遅延量を測定する無線ＬＡＮ遅延量測定方法であって、
無線ＬＡＮ遅延量測定装置が遅延量測定用パケットを生成し、当該生成された遅延量測定用パケットの生成時刻を記録するステップ１と、
前記無線ＬＡＮ遅延量測定装置が、前記生成された遅延量測定用パケットを前記無線ＬＡＮ基地局装置に送信するステップ２と、
前記無線ＬＡＮ基地局装置が、前記遅延量測定用パケットに対するＡｃｋ信号を前記無線ＬＡＮ遅延量測定装置に送信するステップ３と、
前記無線ＬＡＮ遅延量測定装置が、前記Ａｃｋ信号を受信し、その受信時刻を記録するステップ４と、
前記ステップ１における遅延量測定用パケットの生成時刻と、前記ステップ４におけるＡｃｋ信号の受信時刻との差分から無線区間の遅延量を測定するステップ５とを有することを特徴とする無線ＬＡＮ遅延量測定方法。
【請求項２】
前記無線ＬＡＮ遅延量測定装置は、前記無線ＬＡＮ基地局装置と接続し無線通信を行う送受信手段を有し、
前記ステップ１において、前記遅延量測定用パケットが前記送受信手段に入力された時刻を、前記遅延量測定用パケットの生成時刻として記録することを特徴とする請求項１に記載の無線ＬＡＮ遅延量測定方法。
【請求項３】
無線ＬＡＮ基地局装置によって構成される無線ＬＡＮネットワークにおいて、無線ＬＡＮ端末装置上で生成されたパケットが無線ＬＡＮ基地局装置で受信されるまでの遅延量を測定する無線ＬＡＮ遅延量測定方法であって、
前記無線ＬＡＮ遅延量測定装置が一定周期で遅延量測定用パケットを生成し、当該一定周期で生成された遅延量測定用パケットを前記無線ＬＡＮ基地局装置に送信するステップ１と、
前記無線ＬＡＮ基地局装置が、前記各遅延量測定用パケットに対するＡｃｋ信号を前記無線ＬＡＮ遅延量測定装置に送信するステップ２と、
前記無線ＬＡＮ遅延量測定装置が、前記各Ａｃｋ信号を受信し、その受信時刻を記録するステップ３と、
前記ステップ３における各Ａｃｋ信号の受信時刻の受信間隔から無線区間の遅延量を測定するステップ４とを有することを特徴とする無線ＬＡＮ遅延量測定方法。
【請求項４】
前記遅延量測定用パケットに代えて、無線ＬＡＮシステムで定義されている制御信号を使用することを特徴とする請求項１ないし請求項３のいずれか１項に記載の無線ＬＡＮ遅延量測定方法。
【請求項５】
無線ＬＡＮ基地局装置によって構成される無線ＬＡＮネットワークにおいて、無線ＬＡＮ端末装置上で生成されたパケットが無線ＬＡＮ基地局装置で受信されるまでの遅延量を測定する無線ＬＡＮ遅延量測定装置であって、
前記無線ＬＡＮ基地局装置と接続し無線通信を行う送受信手段と、
遅延量測定用パケットを生成し、前記送受信手段を用いて前記生成した遅延量測定用パケットを前記無線ＬＡＮ基地局装置に対して送信するパケット生成手段と、
前記送受信手段において前記遅延量測定用パケットに対する前記無線ＬＡＮ基地局装置からのＡｃｋ信号を受信したことを検出するＡｃｋ信号検出手段と、
前記パケット生成手段に前記遅延量測定用パケットの生成を指示し、当該遅延量測定用パケットの生成を指示した時刻から、前記Ａｃｋ信号検出手段で前記Ａｃｋ信号を受信した受信時刻までの時間を測定し、無線区間の遅延量を測定するタイマー手段とを有することを特徴とする無線ＬＡＮ遅延量測定装置。
【請求項６】
無線ＬＡＮ基地局装置によって構成される無線ＬＡＮネットワークにおいて、無線ＬＡＮ端末装置上で生成されたパケットが無線ＬＡＮ基地局装置で受信されるまでの遅延量を測定する無線ＬＡＮ遅延量測定装置であって、
独自のタイマーを有し、前記無線ＬＡＮ基地局装置と接続し無線通信を行う送受信手段と、
遅延量測定用パケットを生成し、前記送受信手段を用いて前記生成した遅延量測定用パケットを前記無線ＬＡＮ基地局装置に対して送信するパケット生成手段と、
前記パケット生成手段で生成された前記遅延量測定用パケットが前記送受信手段に入力された入力時刻と、前記送受信手段において前記遅延量測定用パケットに対する前記無線ＬＡＮ基地局装置からのＡｃｋ信号を受信した受信時刻とを、前記送受信手段のタイマーから受け取り、前記入力時刻と前記受信時刻との差分から無線区間の遅延量を測定する遅延量測定手段とを有することを特徴とする無線ＬＡＮ遅延量測定装置。
【請求項７】
無線ＬＡＮ基地局装置によって構成される無線ＬＡＮネットワークにおいて、無線ＬＡＮ端末装置上で生成されたパケットが無線ＬＡＮ基地局装置で受信されるまでの遅延量を測定する無線ＬＡＮ遅延量測定装置であって、
独自のタイマーを有し、前記無線ＬＡＮ基地局装置と接続し無線通信を行う送受信手段と、
遅延量測定用パケットを一定周期で生成し、前記送受信手段を用いて前記一定周期で生成した遅延量測定用パケットを前記無線ＬＡＮ基地局装置に対して送信するパケット生成手段と、
前記送受信手段において前記各遅延量測定用パケットに対する前記無線ＬＡＮ基地局装置からのＡｃｋ信号を受信した時刻を、前記送受信手段のタイマーから取得し、各Ａｃｋ信号の受信時刻の受信間隔から無線区間の遅延量を測定するＡｃｋ信号受信時間取得手段とを有することを特徴とする無線ＬＡＮ遅延量測定装置。
【請求項８】
パケット生成手段に代えて、無線ＬＡＮシステムで定義されている制御信号を生成する制御信号生成手段を有し、
前記遅延量測定用パケットに代えて、無線ＬＡＮシステムで定義されている制御信号を使用することを特徴とする請求項５ないし請求項７のいずれか１項に記載の無線ＬＡＮ遅延量測定装置。
【発明の詳細な説明】
【技術分野】
【０００１】
本発明は、無線ＬＡＮ遅延量測定装置および無線ＬＡＮ遅延量測定方法に係り、特に、無線ＬＡＮ（Wireless Local Area Network）ネットワークにおいて、無線ＬＡＮ端末装置を有する装置上で生成されたパケットが無線ＬＡＮ基地局装置で受信されるまでの遅延量を測定する際に有効な技術に関する。
【背景技術】
【０００２】
近年、ＩＰネットワーク上で、ＩＰ電話や動画ストリーミング等のリアルタイム性が重要となるコンテンツが普及し、ＩＰパケットの伝送遅延量が重要なネットワークの品質要素となっている。また、無線ＬＡＮシステムも普及が進み、両者を組み合わせたサービスの提供も始まっている。
しかし、無線ＬＡＮシステムでは、アクセス制御方式として、ＣＳＭＡ／ＣＡ（Carrier Sense Multiple Access with Collision Detection）方式が採用されており、同方式ではネットワークを流れるトラヒック量が増大するとともに遅延が大きくなることが知られている。その中でも、遅延特性の大きな原因となるのがＤＣＦ（Distributed Coordination Function）である。
そのため、無線ＬＡＮ基地局装置を設置する上で、遅延量を考慮したシステム設計ということが重要であるが、遅延量を測定するのは非常に困難である。
従来の測定方法は、ネットワーク上に測定用のサーバや専用の測定器を有線接続する必要があった。（下記、非特許文献１参照）
【０００３】
なお、本願発明に関連する先行技術文献としては以下のものがある。
【非特許文献１】坂井利行・町澤朗彦・中川晋一「無線ＬＡＮ遅延特性の検証と分散計測への応用」  電子情報通信学会ネットワークシステム研究会（Vol.NS2003 No.161 P.71〜74)
【発明の開示】
【発明が解決しようとする課題】
【０００４】
前述した従来技術では、専用のサーバや測定器が必要であるため、遅延量を測定するために専用のネットワークを構成する必要があるだけでなく、無線ＬＡＮ基地局装置の設置位置を変更するたびにネットワークの再構成が必要であった。
さらに、ＩＰネットワーク上で通信を行う必要があるため、ＩＰアドレスやサブネットマスクなどの設定が必要であるだけでなく、ＳＳＩＤや、ＷＥＰ Ｋｅｙなどの無線ＬＡＮの設定も必要である。
そのため、多種多様な設置環境に応じて全ての設定変更を必要とし、時間とコストがかかるという問題があった。
本発明は、前述した従来技術の問題点を解決するためになされたものであり、本発明の目的は、無線ＬＡＮ遅延量測定装置および無線ＬＡＮ遅延量測定方法において、無線ＬＡＮ基地局装置等の既設設備のみで新たに専用のサーバ等を必要とせず、しかも、ＩＰネットワーク上で通信を行うことなく、容易に遅延量の測定が可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の課題を解決するために、本発明は、無線ＬＡＮ基地局装置によって構成される無線ＬＡＮネットワークにおいて、無線ＬＡＮ端末装置上で生成されたパケットが無線ＬＡＮ基地局装置で受信されるまでの遅延量を測定する無線ＬＡＮ遅延量測定方法であって、無線ＬＡＮ遅延量測定装置が遅延量測定用パケットを生成し、当該生成された遅延量測定用パケットの生成時刻を記録するステップ１と、前記無線ＬＡＮ遅延量測定装置が、前記生成された遅延量測定用パケットを前記無線ＬＡＮ基地局装置に送信するステップ２と、前記無線ＬＡＮ基地局装置が、前記遅延量測定用パケットに対するＡｃｋ信号を前記無線ＬＡＮ遅延量測定装置に送信するステップ３と、前記無線ＬＡＮ遅延量測定装置が、前記Ａｃｋ信号を受信し、その受信時刻を記録するステップ４と、前記ステップ１における遅延量測定用パケットの生成時刻と、前記ステップ４におけるＡｃｋ信号の受信時刻との差分から無線区間の遅延量を測定するステップ５とを有する。
また、本発明では、前記無線ＬＡＮ遅延量測定装置は、前記無線ＬＡＮ基地局装置と接続し無線通信を行う送受信手段を有し、前記ステップ１において、前記遅延量測定用パケットが前記送受信手段に入力された時刻を、前記遅延量測定用パケットの生成時刻として記録する。
【０００６】
また、本発明は、無線ＬＡＮ基地局装置によって構成される無線ＬＡＮネットワークにおいて、無線ＬＡＮ端末装置上で生成されたパケットが無線ＬＡＮ基地局装置で受信されるまでの遅延量を測定する無線ＬＡＮ遅延量測定方法であって、前記無線ＬＡＮ遅延量測定装置が一定周期で遅延量測定用パケットを生成し、当該一定周期で生成された遅延量測定用パケットを前記無線ＬＡＮ基地局装置に送信するステップ１と、前記無線ＬＡＮ基地局装置が、前記各遅延量測定用パケットに対するＡｃｋ信号を前記無線ＬＡＮ遅延量測定装置に送信するステップ２と、前記無線ＬＡＮ遅延量測定装置が、前記各Ａｃｋ信号を受信し、その受信時刻を記録するステップ３と、前記ステップ３における各Ａｃｋ信号の受信時刻の受信間隔から無線区間の遅延量を測定するステップ４とを有する。
【０００７】
また、本発明は、無線ＬＡＮ基地局装置によって構成される無線ＬＡＮネットワークにおいて、無線ＬＡＮ端末装置上で生成されたパケットが無線ＬＡＮ基地局装置で受信されるまでの遅延量を測定する無線ＬＡＮ遅延量測定装置であって、前記無線ＬＡＮ基地局装置と接続し無線通信を行う送受信手段と、遅延量測定用パケットを生成し、前記送受信手段を用いて前記生成した遅延量測定用パケットを前記無線ＬＡＮ基地局装置に対して送信するパケット生成手段と、前記送受信手段において前記遅延量測定用パケットに対する前記無線ＬＡＮ基地局装置からのＡｃｋ信号を受信したことを検出するＡｃｋ信号検出手段と、前記パケット生成手段に前記遅延量測定用パケットの生成を指示し、当該遅延量測定用パケットの生成を指示した時刻から、前記Ａｃｋ信号検出手段で前記Ａｃｋ信号を受信した受信時刻までの時間を測定し、無線区間の遅延量を測定するタイマー手段とを有する。
【０００８】
また、本発明は、無線ＬＡＮ基地局装置によって構成される無線ＬＡＮネットワークにおいて、無線ＬＡＮ端末装置上で生成されたパケットが無線ＬＡＮ基地局装置で受信されるまでの遅延量を測定する無線ＬＡＮ遅延量測定装置であって、独自のタイマーを有し、前記無線ＬＡＮ基地局装置と接続し無線通信を行う送受信手段と、遅延量測定用パケットを生成し、前記送受信手段を用いて前記生成した遅延量測定用パケットを前記無線ＬＡＮ基地局装置に対して送信するパケット生成手段と、前記パケット生成手段で生成された前記遅延量測定用パケットが前記送受信手段に入力された入力時刻と、前記送受信手段において前記遅延量測定用パケットに対する前記無線ＬＡＮ基地局装置からのＡｃｋ信号を受信した受信時刻とを、前記送受信手段のタイマーから受け取り、前記入力時刻と前記受信時刻との差分から無線区間の遅延量を測定する遅延量測定手段とを有する。
【０００９】
また、本発明は、無線ＬＡＮ基地局装置によって構成される無線ＬＡＮネットワークにおいて、無線ＬＡＮ端末装置上で生成されたパケットが無線ＬＡＮ基地局装置で受信されるまでの遅延量を測定する無線ＬＡＮ遅延量測定装置であって、独自のタイマーを有し、前記無線ＬＡＮ基地局装置と接続し無線通信を行う送受信手段と、遅延量測定用パケットを一定周期で生成し、前記送受信手段を用いて前記一定周期で生成した遅延量測定用パケットを前記無線ＬＡＮ基地局装置に対して送信するパケット生成手段と、前記送受信手段において前記各遅延量測定用パケットに対する前記無線ＬＡＮ基地局装置からのＡｃｋ信号を受信した時刻を、前記送受信手段のタイマーから取得し、各Ａｃｋ信号の受信時刻の受信間隔から無線区間の遅延量を測定するＡｃｋ信号受信時間取得手段とを有する。
また、本発明では、パケット生成手段に代えて、無線ＬＡＮシステムで定義されている制御信号を生成する制御信号生成手段を有し、前記遅延量測定用パケットに代えて、無線ＬＡＮシステムで定義されている制御信号を使用する。
【発明の効果】
【００１０】
本願において開示される発明のうち代表的なものによって得られる効果を簡単に説明すれば、下記の通りである。
本発明によれば、無線ＬＡＮ基地局装置等の既設設備のみで新たに専用のサーバ等を必要とせず、しかも、ＩＰネットワーク上で通信を行うことなく、容易に遅延量の測定が可能となる。これにより、測定時間の短縮とコストの削減が可能となる。
【発明を実施するための最良の形態】
【００１１】
以下、図面を参照して本発明の実施例を詳細に説明する。
なお、実施例を説明するための全図において、同一機能を有するものは同一符号を付け、その繰り返しの説明は省略する。
［実施例１］
図１は、本発明の実施例１の無線ＬＡＮ遅延量測定装置の概略構成を示すブロック図である。
同図に示すように、無線ＬＡＮ基地局装置１と無線通信が可能な無線ＬＡＮ遅延量測定装置１０は、送受信手段１１と、パケット生成手段１２と、Ａｃｋ信号検出手段１３と、タイマー手段１４とを有する。
送受信手段１１は、無線ＬＡＮ基地局装置１との無線接続を確立する。
パケット生成手段１２は、遅延量測定用パケット（以下、単に、パケットという）を生成して、そのパケットを送受信手段１１を使用して無線ＬＡＮ基地局装置１に対して送信する。
Ａｃｋ信号検出手段１３は、送受信手段１１において無線ＬＡＮ基地局装置１からのＡｃｋ信号を受信したことを検出する。
タイマー手段１４は、パケット生成手段１２にパケットの生成を指示し、当該パケットの生成を指示した時刻から、Ａｃｋ信号検出手段１３においてＡｃｋ信号を受信した受信時刻までの時間を測定し、無線区間の遅延量を測定する。
【００１２】
図２は、本実施例の遅延量測定の測定手順を示すタイミングチャートである。
本実施例では、まず、タイマー手段１４が、パケット生成手段１２にパケットの生成を指示し、このときの時刻を記憶する（図２のステップＳ１１）。
パケット生成手段１２は、パケットを生成後（図２のステップＳ１２）、送受信手段１１を使用して、生成したパケットを無線ＬＡＮ基地局装置１に送信する（図２のステップＳ１３，Ｓ１４）。
無線ＬＡＮ基地局装置１は、パケットを誤りなく受信すると、当該パケットに対する確認応答であるＡｃｋ信号を生成し返信する（図２のステップＳ１５）。
送受信手段１１においてＡｃｋ信号を受信（図２のステップＳ１６）したことを、Ａｃｋ信号検出手段１３が検出し（図２のステップＳ１７）、その検出時刻を、タイマー手段１４で記録する（図２のステップＳ１８）。
そして、記録したパケットの生成を指示した時刻と、Ａｃｋ信号を検出した時刻の差分から無線区間の遅延量を測定する。
【００１３】
一般に、無線ＬＡＮシステムでは、無線ＬＡＮ基地局装置と無線ＬＡＮ端末装置間の距離は長くても１００ｍ程度であり、無線区間の伝送遅延は非常に小さい。
問題となるのは、無線ＬＡＮシステムがアクセス制御方式として採用するＣＳＭＡ／ＣＡのＤＣＦによる送信待ち時間である。
本実施例では、無線化された無線ＬＡＮ遅延量測定装置１０は、ＤＣＦによる送信待ち時間を測定可能としている。また、この例では、無線ＬＡＮ基地局装置１は、特に、ＩＰネットワークに接続されている必要はなく、ＩＰアドレスやサブネットマスクの設定が不要である。
また、無線ＬＡＮ遅延量測定装置１０が送信するパケットも任意のものでよく、無線ＬＡＮ基地局装置１にエラーなく送信できさえすれば、無線ＬＡＮシステムの仕様にしたがって、無線ＬＡＮ基地局装置１は、即座にＡｃｋ信号を返信するため、無線ＬＡＮシステムのＳＳＩＤや、ＷＥＰ Ｋｅｙなどの設定も不要である。
さらに、パケットのサイズや生成周期を調整することで、ＩＰ電話や動画ストリーミングのパケットを擬似することも可能となり、用途に応じた遅延量の測定も可能である。
【００１４】
［実施例２］
図３は、本発明の実施例２の無線ＬＡＮ遅延量測定装置の概略構成を示すブロック図である。
同図に示すように、無線ＬＡＮ基地局装置１と無線通信が可能な無線ＬＡＮ遅延量測定装置２０は、送受信手段２１と、パケット生成手段１２と、遅延量測定手段２２とを有する。
送受信手段２１は、独自のタイマーを有し、無線ＬＡＮ基地局装置１との無線接続を確立する。
パケット生成手段１２は、遅延量測定用のパケットを生成し、そのパケットを送受信手段２１を使用して、無線ＬＡＮ基地局装置１に対して送信する。
遅延量測定手段２２は、パケット生成手段１２からパケットが送受信手段２１に入力された入力時刻と、送受信手段２１においてＡｃｋ信号を受信した受信時刻を、送受信手段２１の持つタイマーから取得し、入力時刻と前記受信時刻との差分から無線区間の遅延量を測定する。
【００１５】
図４は、本実施例の遅延量測定の測定手順を示すタイミングチャートである。
本実施例では、まず、パケット生成手段１２が、パケットを生成し（図４のステップＳ２１）、そのパケットを送受信手段２１に入力する（図４のステップＳ２２）。
送受信手段２１は、パケットが入力された入力時刻を、内部のタイマーで測定し遅延量測定手段２２に通知し（図４のステップＳ２３）、そのパケットを無線ＬＡＮ基地局装置１に対して送信する（図４のステップＳ２４）。遅延量測定手段２２は、送受信手段２１から通知されたパケット入力時刻を記録する。
無線ＬＡＮ基地局装置１は、誤りなくパケットを受信すると、パケットに対するＡｃｋ信号を返信する（図４のステップＳ２５）。
送受信手段２１は、Ａｃｋ信号を受信すると、Ａｃｋ信号を受信した受信時刻を、内部のタイマーで測定し、遅延量測定手段２２に通知する（図４のステップＳ２６）。
遅延量測定手段２２は、送受信手段２１から通知されたＡｃｋ信号の受信時刻を記録し、パケットが送受信手段２１に入力された入力時刻と、送受信手段２１においてＡｃｋ信号を受信した受信時刻の差分から無線区間の遅延量を測定する。
本実施例では、遅延量の測定に送受信手段２１の持つタイマーを利用する。一般に前述の実施例１に示すような構成の場合、タイマーはＯＳの管理するものとなるが、精度が低いという問題がある。
本実施例では、送受信手段２１の持つタイマーを利用することで精度の高い測定が可能となる。
【００１６】
［実施例３］
図５は、本発明の実施例３の無線ＬＡＮ遅延量測定装置の概略構成を示すブロック図である。
同図に示すように、無線ＬＡＮ基地局装置１と無線通信が可能な無線ＬＡＮ遅延量測定装置３０は、送受信手段２１と、パケット生成手段３１と、Ａｃｋ信号受信時刻取得手段３２とを有する。
送受信手段２１は、独自のタイマーを有し、無線ＬＡＮ基地局装置１との無線接続を確立する。
パケット生成手段３１は、遅延量測定用パケットを一定周期で生成し、そのパケットを送受信手段２１を使用して無線ＬＡＮ基地局装置１に対して送信する。
Ａｃｋ信号受信時刻取得手段３２は、Ａｃｋ信号を受信した時刻を、送受信手段２１の持つタイマーから取得する。
【００１７】
図６は、本実施例の遅延量測定の測定手順を示すタイミングチャートである。
本実施例では、まず、パケット生成手段３１が、一定周期で周期的にパケットを生成し（図６のステップＳ３１，Ｓ３１’，３１”）、生成したパケットを順次送受信手段２１を使用して（図６のステップＳ３２，Ｓ３２’，Ｓ３２”）、無線ＬＡＮ基地局装置１に対して送信する（図６のステップＳ３３，Ｓ３３’，Ｓ３３”）。
無線ＬＡＮ基地局装置１は、誤りなくパケットを受信すると、各パケットに対するＡｃｋ信号を返信する（図６のステップＳ３４，Ｓ３４’，Ｓ３４”）。
送受信手段２１は、Ａｃｋ信号を受信すると、Ａｃｋ信号を受信した時刻を、Ａｃｋ信号受信時刻取得手段３２に通知する（図６のステップＳ３５，Ｓ３５’，Ｓ３５”）。
Ａｃｋ信号受信時刻取得手段３２は、取得したＡｃｋ信号受信時刻の受信間隔から無線区間の遅延量を推定する。
本実施例では、パケットの生成時刻を用いず、パケットを一定周期で連続的に送信し、それらのパケットに対するＡｃｋ信号の受信間隔を測定することで、無線区間の遅延量を推定する。これにより、送受信手段２１の持つ精度の高いタイマーを使った測定が可能となる。
【００１８】
前述の各実施例において、遅延量測定用パケットに代えて、無線ＬＡＮ制御信号（例えば、プローブ要求）を利用することも可能である。
この場合に、無線ＬＡＮ遅延量測定装置（１０，２０，３０）は、前述のパケット生成手段（１２，３１）に代えて、無線ＬＡＮシステムで定義されている制御信号を生成する制御信号生成手段を備える必要がある。
また、プローブ要求を受信した無線ＬＡＮ基地局装置は、Ａｃｋ信号だけでなくプローブ応答の送信も行う。これにより、プローブ応答の受信時刻を取得することで無線区間の上り信号に対する下り信号を受信するまでの遅延量を測定することも可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
従って、本発明の範囲は特許請求の範囲及びその均等範囲によってのみ規定されるものである。
【図面の簡単な説明】
【００１９】
【図１】本発明の実施例１の無線ＬＡＮ遅延量測定装置の概略構成を示すブロック図である。
【図２】本発明の実施例１の遅延量測定の測定手順を示すタイミングチャートである。
【図３】本発明の実施例２の無線ＬＡＮ遅延量測定装置の概略構成を示すブロック図である。
【図４】本発明の実施例２の遅延量測定の測定手順を示すタイミングチャートである。
【図５】本発明の実施例３の無線ＬＡＮ遅延量測定装置の概略構成を示すブロック図である。
【図６】本発明の実施例３の遅延量測定の測定手順を示すタイミングチャートである。
【符号の説明】
【００２０】
１  無線ＬＡＮ基地局装置
１０，２０，３０  無線ＬＡＮ遅延量測定装置
１１，２１  送受信手段
１２，３１  パケット生成手段
１３  Ａｃｋ信号検出手段
１４  タイマー手段
２２  遅延量測定手段
３１  パケット生成手段
３２  Ａｃｋ信号受信時刻取得手段
【図１】
2007053653.tif 000003
【図２】
2007053653.tif 000004
【図３】
2007053653.tif 000005
【図４】
2007053653.tif 000006
【図５】
2007053653.tif 000007
【図６】
2007053653.tif 000008